(57)【要約】【課題】小さな動力で効率良く塵埃を分離できる集塵機を提供する。【解決手段】モータ51の駆動でフィルタドラム41とともにフィルタ体46を回転できる。集塵室22の排気入口23から導入された排気風Ｃがフィルタドラム41の周面部42を通過する。周面部42を排気風Ｃが通過する際に排気風Ｃ中の塵埃をフィルタ体46で捕捉して分離できる。フィルタ体46のうちの排気風Ｃが通過する部分を周方向に向けて徐々に移動させながら、排気風Ｃ中の塵埃を捕捉できる。熱風乾燥装置１から排気される排気風Ｃの風力を利用して、排気風Ｃ中の塵埃を分離できる。排気風Ｃ中の塵埃を小さな動力で効率良く分離して回収できる。【選択図】図１
2009136821.tif 000002
【特許請求の範囲】
【請求項１】
塵埃を含んだ空気が導入される導入口が側部に設けられ、この導入口から導入された空気を排出する排出口が上部に設けられた中空な集塵室と、
空気が通過可能な筒状の周面部およびこの周面部の一端に設けられた開口部を備え、この開口部を上方に向けて前記排出口に対向させ、前記集塵室の内部に垂直軸を中心に回転可能に配設され、前記導入口から導入された空気が周面部を通過して前記開口部から排出されるケース体と、
前記ケース体を周方向に回転させる駆動手段と、
前記ケース体の周面部に取り付けられ、この周面部を通過する空気に含まれている塵埃を分離する筒状のフィルタ体と
を具備したことを特徴とした集塵装置。
【請求項２】
集塵室は、この集塵室内の下部に設けられた塵埃収容部を備え、
ケース体と前記集塵室の下部との間に取り付けられ、前記ケース体の回転とともに回転し、前記集塵室内に堆積した塵埃を前記塵埃収容部に収容させるスクレーパを具備した
ことを特徴とした請求項１記載の集塵装置。
【請求項３】
ケース体の内側からフィルタ体に向けて空気を吹き付ける空気吹付手段と、
集塵室の導入口側および排出口側の気圧をそれぞれ測定し、この測定した気圧の差が予め定めた値を超えた場合に前記空気吹付手段にて前記ケース体の内側から前記フィルタ体に空気を吹き付けさせる気圧測定手段と
を具備したことを特徴とした請求項１または２記載の集塵装置。
【発明の詳細な説明】
【技術分野】
【０００１】
本発明は、通過する空気に含まれている塵埃を分離する集塵装置に関する。
【背景技術】
【０００２】
従来、熱風を用いた熱風乾燥装置としては、例えばあられやスナックなどの加工食品やシャモットなどの無機材料などの被乾燥物を、熱風が通過する熱風室に投入し、この熱風室の上流側に取り付けられている第１のブロアと、この熱風室の下流側に取り付けられている第２のブロワにて被乾燥物を移動させながら乾燥して、下流側の分離槽にて分離する構成が知られている（例えば、特許文献１参照。）。
【特許文献１】特開２０００−１１１２４８号公報
【発明の開示】
【発明が解決しようとする課題】
【０００３】
上述したように、上記熱風乾燥装置は、熱風室で被乾燥物の破片などの塵埃が発生するおそれがあり、この塵埃を熱風から分離する必要がある。ところが、この熱風乾燥装置では、被乾燥物を熱風とともに移動させるために第２のブロワが用いられているため、熱風から塵埃を分離するための集塵装置を分離槽の下流側に取り付けなければならないから、この集塵装置に熱風を引き込むために別個のブロアが必要である。
【０００４】
よって、この集塵装置に別個のブロアを取り付ける必要があるから、この集塵装置を用いて塵埃を効率良く分離するためには、大きな動力が必要であるという問題を有している。
【０００５】
本発明は、このような点に鑑みなされたもので、小さな動力で効率良く塵埃を分離できる集塵装置を提供することを目的とする。
【課題を解決するための手段】
【０００６】
請求項１記載の集塵装置は、塵埃を含んだ空気が導入される導入口が側部に設けられ、この導入口から導入された空気を排出する排出口が上部に設けられた中空な集塵室と、空気が通過可能な筒状の周面部およびこの周面部の一端に設けられた開口部を備え、この開口部を上方に向けて前記排出口に対向させ、前記集塵室の内部に垂直軸を中心に回転可能に配設され、前記導入口から導入された空気が周面部を通過して前記開口部から排出されるケース体と、前記ケース体を周方向に回転させる駆動手段と、前記ケース体の周面部に取り付けられ、この周面部を通過する空気に含まれている塵埃を分離する筒状のフィルタ体とを具備したものである。
【０００７】
請求項２記載の集塵装置は、請求項１記載の集塵装置において、集塵室は、この集塵室内の下部に設けられた塵埃収容部を備え、ケース体と前記集塵室の下部との間に取り付けられ、前記ケース体の回転とともに回転し、前記集塵室内に堆積した塵埃を前記塵埃収容部に収容させるスクレーパを具備したものである。
【０００８】
請求項３記載の集塵装置は、請求項１または２記載の集塵装置において、ケース体の内側からフィルタ体に向けて空気を吹き付ける空気吹付手段と、集塵室の導入口側および排出口側の気圧をそれぞれ測定し、この測定した気圧の差が予め定めた値を超えた場合に前記空気吹付手段にて前記ケース体の内側から前記フィルタ体に空気を吹き付けさせる気圧測定手段とを具備したものである。
【発明の効果】
【０００９】
請求項１記載の集塵装置によれば、駆動手段によるケース体の回転に伴ってフィルタ体が回転し、集塵室の導入口から導入された空気がケース体の周面部を通過する際に、この空気に含まれている塵埃がフィルタ体によって分離されるから、集塵室の導入口から導入された空気に含まれている塵埃を小さな動力で効率良く分離できる。
【００１０】
請求項２記載の集塵装置によれば、請求項１記載の集塵装置の効果に加え、ケース体の回転とともにスクレーパが回転して、集塵室内に堆積した塵埃を塵埃収容部に収容できるから、集塵室内に堆積した塵埃を小さな動力で効率良く塵埃収容部に収容できる。
【００１１】
請求項３記載の集塵装置によれば、請求項１または２記載の集塵装置の効果に加え、気圧測定手段にて測定した集塵室の導入口側および排出口側の気圧の差が予め定めた値を超えた場合に、空気吹付手段にてケース体の内側からフィルタ体に空気を吹き付けることにより、このフィルタ体にて空気から分離した塵埃を、このフィルタ体から取り除くことができるため、このフィルタ体の目詰まりを防止できる。
【発明を実施するための最良の形態】
【００１２】
以下、本発明の集塵装置を備えた乾燥装置の実施の一形態を図１ないし図５を参照して説明する。
【００１３】
図５において、１は乾燥装置としての熱風乾燥装置で、この熱風乾燥装置１は、例えばあられやスナックなどの加工食料品、またはシャモットなどの無機材料などの被乾燥物としての目的物である原料Ａを熱風により乾燥させる装置である。言い換えると、この熱風乾燥装置１は、熱風を発生させ、この熱風が通過する部分に原料Ａを搬送して、この原料Ａを乾燥させる装置である。
【００１４】
具体的に、そして、この熱風乾燥装置１は、中空なトンネル型の本体２を備えている。この本体２の内部には、多段型の搬送面３を有する搬送手段としてのベルトコンベヤ４が設置されている。このベルトコンベヤ４は、上側の搬送面３が搬送上流側から搬送下流側に向けて移動するように構成されている。
【００１５】
そして、本体２の一端側である上流側には、ベルトコンベヤ４の搬送面３の搬送上流側に原料Ａを投入するための投入口５が設けられている。また、この本体２の他端側である下流側には、ベルトコンベヤ４の搬送面３上で原料Ａから製造された製品Ｂを搬送下流側から外部へ排出させる排出口６が設けられている。さらに、この本体２の下面には、この本体２内に熱風を供給するための複数の給気口7a，7b，7cが設けられている。これら給気口7a，7b，7cのうちの上流側の給気口7a，7bには、空気加熱手段としてのエアヒータ８と送風手段としての送風機９とが取り付けられている。すなわち、これら給気口7a，7bには、送風機９にて送風されエアヒータ８にて加熱された熱風が供給され、この熱風が本体２内の上流側の加熱領域11に供給される。さらに、下流側の給気口7cには、冷却手段としての冷却ファン12が取り付けられている。すなわち、この給気口7cには、冷却ファン12にて冷却された冷風が供給されて、この冷風が本体２内の下流側の冷却領域13に供給される。
【００１６】
さらに、本体２の上部には、この本体２内に供給された熱風または冷風を排出するための複数の排気口14a，14b，14cが設けられている。そして、これら排気口14a，14b，14cには、これら排気口14a，14b，14cから排気される熱風または冷風である処理空気としての排気風Ｃを送風させる送風ファン15が取り付けられている。この送風ファン15の下流側には、この送風ファン15にて送風された排気風Ｃが供給される集塵装置としての集塵機21が設置されている。この集塵機21は、本体２から排気され送風ファン15にて送風された排気風Ｃに含まれている図示しない塵埃を捕捉して除去するロータ式の集塵機である。
【００１７】
具体的に、図１ないし図４に示すように、この集塵機21は、平面視正方形状である有底略角筒状の中空な装置本体としてのチャンバである集塵室22を備えている。この集塵室22の側部である一側面には、送風ファン15にて送風された排気風Ｃが吸い込まれて導入される導入口としての長方形状の排気入口23が設けられている。この排気入口23は、送風ファン15の下流側に接続され、熱風乾燥装置１の本体２内での熱風乾燥などによって生じた塵埃を含んだ排気風Ｃが導入される。そして、この排気入口23より内側の集塵室22内には、排気風分散手段としての長方形板状の邪魔板24が取り付けられている。この邪魔板24は、この邪魔板24の一側面を排気入口23の内側に対向させて設置されており、この排気入口23から導入される排気風Ｃを衝突させて、この排気風Ｃを四方に分散させるとともに、この排気風Ｃに含まれている塵埃を四方に分散させる。
【００１８】
さらに、集塵室22の上部である上面には、この集塵室22の排気入口23から導入された排気風Ｃ中の塵埃を除去した後の処理空気としての処理風Ｅを排出する排出口としての円形状の排気出口25が設けられている。この排気出口25は、集塵室22の上面の中央部に設けられており、この集塵室22内にて塵埃が除去された処理風Ｅを外部へ排出させる。
【００１９】
また、この集塵室22内の底側には、下方に向けて同心状に縮径したテーパ状の傾斜面部26が設けられている。そして、この傾斜面部26の下側には、集塵室22の上側の内径寸法より小さな内径寸法を有する段状の段部27が形成されている。さらに、この段部27の下側には、円状の底部28が設けられている。そして、これら段部27と底部28とによって形成された円柱状の領域が、スクレーパ収容部29となる。また、このスクレーパ収容部29の底部28の周縁部には、このスクレーパ収容部29に堆積した塵埃をまとめて収容させる第１の塵埃収容部としての回収ポットである中空な第１のダストボックス31が連通して設けられている。この第１のダストボックス31は、集塵室22の底部28より下方に突出して設けられている。なお、この第１のダストボックス31には、邪魔板24に衝突して失速して重力に負けて排気風Ｃから分離された塵埃が溜まる場所でもある。
【００２０】
さらに、集塵室22のスクレーパ収容部29の底部28の外側には、第２の塵埃収容部としての回収ポットである中空な第２のダストボックス32が設けられている。この第２のダストボックス32は、底部28の周縁部よりも外側に突出した位置に設けられており、この底部28より下方に突出して設けられている。
【００２１】
一方、集塵室22の内部には、ケース体としての有底円筒状のフィルタドラム41が取り付けられている。このフィルタドラム41は、集塵室22の排気入口23から導入される排気風Ｃが通過可能な円筒状の周面部42を備えている。この周面部42は、複数の孔が設けられたパンチング板を円筒状に丸めて構成されている。さらに、この周面部42は、集塵室22の排気出口25の内径寸法に略等しい外径寸法に形成されている。また、この周面部42の軸方向の一端である上側が開口されて開口部としての排気開口43が設けられている。さらに、この周面部42の軸方向の他端は、円盤状の板体にて閉塞されて底面部44が設けられている。
【００２２】
そして、フィルタドラム41は、このフィルタドラム41の底面部44を集塵室22内の底部28に対向させて位置させ、このフィルタドラム41の排気開口43を集塵室22の排気出口25に対向させて同心状に連通させた状態で、この集塵室22内に設置されている。すなわち、このフィルタドラム41は、集塵室22の排気入口23から導入された排気風Ｃが周面部42の複数の孔を通過して処理風Ｅとなり、この処理風Ｅが排気開口43から集塵室22の排気出口25へ排出されるように構成されている。
【００２３】
さらに、このフィルタドラム41は、集塵室22内において周面部42の周方向に回転可能に取り付けられている。具体的に、このフィルタドラム41の排気開口43の外側には、このフィルタドラム41の回転を支持する回転支持手段としての複数のローラ体45が回転可能に取り付けられている。これらローラ体45は、フィルタドラム41の排気開口43の周方向に向けて等間隔に離間された位置に取り付けられており、このフィルタドラム41の回転軸方向に対して平行な回転軸方向に回転可能に構成されている。さらに、これらローラ体45は、これらローラ体45の外周面をフィルタドラム41の周面部42の外側の面に接触させて取り付けられている。
【００２４】
また、このフィルタドラム41の周面部42の外側には、この周面部42を通過する排気風Ｃに含まれている塵埃を捕捉して分離して集塵する集塵手段としてのフィルタ体46が取り付けられている。このフィルタ体46は、フィルタドラム41の周面部42の外径寸法に略等しい内径寸法を有する円筒状に形成されており、このフィルタドラム41の周面部42の外側にシート状のエアフィルタを一重に巻き付けて取り付けられている。また、このフィルタ体46は、このフィルタ体46の内側および外側のいずれ側からも通気可能な構造を有する例えば１００Ｐａの圧力損失のフィルタ素材で構成されている。さらに、このフィルタ体46は、このフィルタ体46を通過する排気風Ｃに含まれている塵埃とは類似しない異なる色に着色されている。具体的に、このフィルタ体46の色は、白色、黒色およびクリーム色のいずれかであり、このフィルタ体46にて捕捉する塵埃の色とは異なる色に設定されている。
【００２５】
さらに、このフィルタドラム41の周面部42の外側には、この周面部42の外側に取り付けられたフィルタ体46を保持するフィルタ保持手段としてのフィルタケース47が取り付けられている。このフィルタケース47は、金網を円筒状に丸めて構成されており、フィルタ体46の外径寸法に略等しい内径寸法に形成されている。
【００２６】
一方、フィルタドラム41の底面部44の下側には、軸体としての垂直軸である円柱状の回転軸48が同心状に取り付けられている。この回転軸48の下端部は、集塵室22の底部28を貫通して突出しており、この集塵室22の底部28の外側である下側に取り付けられている駆動手段としてのモータ51に接続されている。このモータ51は、このモータ51の駆動により回転軸48を回転駆動させてフィルタドラム41を周方向に回転させる。
【００２７】
さらに、この回転軸48には、集塵室22の底部28に溜まった粉塵などの塵埃を第１のダストボックス31へ掻き集める羽根車としてのスクレーパ52が取り付けられている。このスクレーパ52は、集塵室22のスクレーパ収容部29の内径寸法に略等しい長さ寸法を有する細長棒状に形成されており、このスクレーパ52の長手方向の中心部が回転軸に直結されて固定されている。すなわち、このスクレーパ52は、集塵室22のスクレーパ収容部29に収容されて、この集塵室22とフィルタドラム41との間に取り付けられている。さらに、このスクレーパ52は、モータ51による回転軸48の回転によって、この回転軸48を中心としてフィルタドラム41とともに回転し、スクレーパ収容部29に堆積して溜まった塵埃を移動させて掻き集めて第１のダストボックス31にまとめて収容させる。
【００２８】
一方、集塵室22には、この集塵室22内のフィルタドラム41に取り付けられているフィルタ体46にて捕捉した塵埃を取り除いて除去する逆洗装置61が取り付けられている。この逆洗装置61は、集塵室22内の気圧を測定可能な気圧測定手段としての制御装置である気圧測定機62を備えている。この気圧測定機62は、集塵室22の排気出口25の周縁に取り付けられている。
【００２９】
具体的に、この気圧測定機62は、集塵室22の排気出口25の内側に設置されている第１のセンサ62aと、この集塵室22の排気入口23の内側に設置されている第２のセンサ62bとを備えている。そして、この気圧測定機62は、第１のセンサ62aにて測定した集塵室22の排気出口25側の気圧と、第２のセンサ62bにて測定した集塵室22の排気入口23側の気圧との差が、予め定めた所定の値を超えた場合に、フィルタ体46が目詰まりしていると判断して逆洗装置61を駆動させる。
【００３０】
さらに、この集塵室22のフィルタドラム41の内部には、このフィルタドラム41の外側に取り付けられているフィルタ体46の内側から空気を吹き付けて、このフィルタ体46にて捕捉した塵埃を取り除く空気吹付手段としての細長円筒状の空気吹出管63が取り付けられている。この空気吹出管63は、長手方向の一端である下端側が閉塞されている。さらに、この空気吹出管63の周面部には、軸方向に沿って等間隔に図示しない複数の吹出口が穿設されている。そして、この空気吹出管63は、この空気吹出管63の軸方向を上下方向にし、この空気吹出管63の各吹出口をフィルタドラム41の内側に向けた状態で、第２のダストボックス32の内側の位置に取り付けられている。
【００３１】
さらに、この空気吹出管63の長手方向の他端である上端側には、この空気吹出管63に空気を送り込む送風手段としての送風機65が取り付けられている。この送風機65は、気圧測定機62によって、この送風機65の駆動が制御されている。すなわち、この気圧測定機62は、第１のセンサ62aおよび第２のセンサ62bで測定した集塵室22内の気圧の差が予め定めた規定値を超えた場合に、フィルタドラム41内のフィルタ体46が目詰まりした状態と判断して送風機65を駆動させる。そして、この送風機65は、この送風機65から送風される空気を空気吹出管63の各吹出口から、フィルタ体46の塵埃を吸い込んだ方向とは反対である逆方向から空気を吹き付けさせて、このフィルタ体46から塵埃を取り除いて除去させ、この塵埃を第２のダストボックス32へまとめて収容させる。
【００３２】
一方、集塵室22の側面のうちの排気入口23が設けられていない側面には、点検窓71が開口形成されている。これら点検窓71のそれぞれには、集塵室22の内部を点検するための点検扉72が開閉可能に取り付けられている。
【００３３】
次に、上記実施の一形態の乾燥装置の動作について説明する。
【００３４】
まず、熱風乾燥装置１の各送風機９、冷却ファン12および送風ファン15を駆動させて、上流側の給気口7a，7bからエアヒータ８で加熱した熱風を熱風乾燥装置１の加熱領域11に供給するとともに、下流側の給気口7cから冷却ファン12で冷却した冷風を熱風乾燥装置１の冷却領域13に供給する。同時に、集塵機21のモータ51を駆動させてフィルタドラム41とともにスクレーパ52を回転させるとともに、この集塵機21の気圧測定機62の第１のセンサ62aおよび第２のセンサ62bにて気圧が測定できる状態にセットする。
【００３５】
この状態で、この熱風乾燥装置１のベルトコンベヤ４を駆動させ、この熱風乾燥装置１の投入口５から原料Ａを順次供給してベルトコンベヤ４の搬送面３の上流側に搬送する。このとき、このベルトコンベヤ４の搬送面３の上流側に搬送された原料Ａは、このベルトコンベヤ４にて下流側に搬送され、加熱領域11を通過する間に熱風乾燥された後に、冷却領域13を通過する間に冷却されて製品Ｂとなり、この製品Ｂが熱風乾燥装置１の排出口６から順次排出される。
【００３６】
一方、この熱風乾燥装置１の加熱領域11に供給された熱風、および冷却領域13に供給された冷風のそれぞれは、この熱風乾燥装置１の各排気口14a，14b，14cから排気される。このとき、これら各排気口14a，14b，14cから排気される熱風および冷風のそれぞれには、加熱領域11または冷却領域13で原料Ａを熱風乾燥または冷却する際に、この原料Ａの表面の組織が剥がれ落ちるなどして生じた塵埃が混ざっており、この塵埃を含んだ排気風Ｃとして各排気口14a，14b，14cから排気される。
【００３７】
さらに、これら各排気口14a，14b，14cから排気された排気風Ｃは、集塵機21の排気入口23へと導入され、この排気入口23の内側に設置されている邪魔板24に衝突して四方に分散される。このとき、この邪魔板24に排気風Ｃが衝突することによって失速し、この排気風Ｃに含まれている塵埃が重力に負けて排気風Ｃから分離されて集塵室22の底部28に堆積する。
【００３８】
また、この集塵室22の底部28に堆積した塵埃は、この集塵室22の底部28上のスクレーパ収容部29に設置されているスクレーパ52の回転によって掻き集められて第１のダストボックス31にまとめて収容される。
【００３９】
次いで、集塵室22内で邪魔板24にて分散された排気風Ｃは、回転しているフィルタドラム41の周面部42のうちの排気入口23側に面している部分からフィルタ体46を通過する。このとき、この排気風Ｃは、フィルタ体46を通過する際に、この排気風Ｃに含まれている塵埃がフィルタ体46に捕捉されて処理風Ｅとなる。
【００４０】
そして、このフィルタ体46を通過した処理風Ｅは、フィルタドラム41の内側から排気開口43を介して集塵室22の排気出口25へ排出される。
【００４１】
一方、逆洗装置61の気圧測定機62の第１のセンサ62aおよび第２のセンサ62bにて測定した集塵室22内の気圧の差が予め定めた規定値を超えた場合には、この気圧測定機62にて送風機65が駆動される。そして、この送風機65から送風される空気が、空気吹出管63の各吹出口からフィルタ体46の内側へ吹き付けられて、このフィルタ体46にて補足した塵埃が除去される。さらに、この塵埃は、フィルタドラム41の外側へ排出されて落下して第２のダストボックス32の内部に収容される。
【００４２】
上述したように、上記実施の一形態によれば、集塵機21のモータ51を駆動させることによって、フィルタドラム41とともにフィルタ体46を回転でき、集塵室22の排気入口23から導入された排気風Ｃが、フィルタドラム41の周面部42を通過し、このフィルタドラム41の周面部42を排気風Ｃが通過する際に、この排気風Ｃに含まれている塵埃をフィルタ体46で捕捉して分離できる。
【００４３】
すなわち、排気風Ｃに含まれている塵埃を捕捉する円筒状のフィルタ体46を回転させて、このフィルタ体46のうちの排気風Ｃが通過する部分を周方向に向けて徐々に移動させながら、この排気風Ｃに含まれている塵埃を捕捉できる。また、集塵室22の排気入口23に対向させて邪魔板24を設置したことにより、この邪魔板24に排気風Ｃを衝突させて、この排気風Ｃを四方に分散でき、この排気風Ｃに含まれている塵埃を排気風Ｃから分離させて集塵室22の底部28に堆積できる。
【００４４】
よって、熱風乾燥装置１から排気される排気風Ｃの風力を利用して、この排気風Ｃに含まれている塵埃を分離できるから、送風機などの比較的大きな動力が必要な装置を用いて自立運動する必要がなく、比較的小さな動力で済むモータ51の駆動によって、集塵機21の排気入口23へ導入される排気風Ｃに含まれている塵埃を効率良く分離して回収できるから、この排気入口23から導入された排気風Ｃに含まれている塵埃を小さな動力で効率良く分離回収できる。
【００４５】
すなわち、集塵室22内に導入される排気風Ｃに静圧を加える必要がないため、排気風Ｃに静圧を加えるための動力を不要にできる。具体的には、従来の自立運動が可能な集塵機に比べ、排気風Ｃに含まれている塵埃を１０分の１程度の静圧で捕捉して分離できるから、集塵室22に排気風Ｃを通過させるために必要な運転能力を掛からなくできる。
【００４６】
また、例えば１００Ｐａの圧力損失を有するシート状のエアフィルタを、フィルタドラム41の外側に一重に巻き付けた構成のフィルタ体46を用いているため、例えば１０００Ｐａ程度の圧力損失を有するマルチクロンに比べ、圧力損失を約１０分の１にできる。したがって、マルチクロンを用いた従来の集塵機に比べ、静圧を掛からなくできるから、消費動力を少なくできる。ここで、マルチクロンは、複数のセパレータを直列および並列に接続して構成されており、空気中から粒状物質を分離するための装置である。
【００４７】
さらに、フィルタドラム41の外側にシート状のエアフィルタを一重に巻き付けたフィルタ体46を用いているため、このフィルタ体46の全体を用いて集塵できる。例えば、集塵機21にパン粉を吸い込ませてフィルタ体46に集塵させた場合には、このフィルタ体46によって９０％以上の集塵率でパン粉を捕捉できる。
【００４８】
また、モータ51の駆動によるフィルタドラム41の回転に連動してスクレーパ52が回転するから、このフィルタドラム41を回転しているときに常時スクレーパ52を集塵室22の底部28内で回転できる。よって、この集塵室22の底部28に塵埃が溜まることなく自動的にスクレーパ52にて掻き集められて第１のダストボックス31に掻き出されて収容できる。したがって、比較的小さな動力で済むモータ51の駆動によって、集塵室22の底部28に堆積した塵埃を第１のダストボックス31に収容できるから、この塵埃を効率良く第１のダストボックス31に収容でき、集塵室22の清掃の手間を低減できる。
【００４９】
さらに、逆洗装置61の気圧測定機62の第１のセンサ62aおよび第２のセンサ62bにて測定した集塵室22内の気圧の差が予め定めた規定値を超えた場合に送風機65が駆動し、この送風機65から送風される空気を空気吹出管63の各吹出口からフィルタ体46の内側へ吹き付けて、このフィルタ体46にて補足した塵埃を除去できる。したがって、集塵室22内のフィルタ体46の目詰まりを一定の間隔で防止しながら、排気風Ｃに含まれている塵埃を捕捉できるので、この排気風Ｃに含まれている塵埃を長期間に亘って効率良く分離できる。
【００５０】
すなわち、フィルタ体46にて捕捉した塵埃を逆洗装置61にて一定の間隔で吹き落とすことができるため、このフィルタ体46の圧力損失の上昇および集塵率の低下を防止できる。よって、このフィルタ体46の圧力損失の上昇および集塵率の低下を最小限に留めることができるから、シート状のフィルタ体を塵埃の流れに対して垂直に設置した従来のフィルタ式式簡易集塵機に比べ、集塵機21を長期間に亘って連続運転できる。
【００５１】
また、フィルタ体46から除去された塵埃を、フィルタドラム41の外側へ落下させて第２のダストボックス32の内部に収容できるから、このフィルタ体46から除去した塵埃を集塵室22から取り除く作業を簡単にできる。すなわち、フィルタドラム41の外側にフィルタ体46を取り付けたままの状態で、このフィルタ体46を自動洗浄できるから、このフィルタ体46が目詰まりすることがなく、フィルタ体46を取り外す手間を少なくできるので、手間が掛からなくできる。
【００５２】
さらに、このフィルタ体46を排気風Ｃに含まれている塵埃とは類似しない異なる色に着色したことにより、このフィルタ体46の汚れ具合を目視で簡単に確認できる。具体的には、このフィルタ体46の色を白色、黒色およびクリーム色のいずれかとし、このフィルタ体46にて捕捉する塵埃の色とは異なる色にフィルタ体46の色が設定されている。このため、集塵機21の点検窓71からフィルタ体46の洗浄および交換時期を一目で見極めることができるから、この集塵機21を用いたプラント操業をより容易にできる。
【００５３】
以上から、従来の自立運動が必要な集塵機に比べ、消費動力を少なくでき、フィルタ体46の汚れ具合を目視で確認でき、このフィルタ体46の交換の負担を軽減できる。よって、ランニングコストや人件費などの削減の面において、大きな経済効果を期待できる。また、外気に排出される塵埃の量を大幅に減少できるため、大気汚染を防止でき、環境保護に寄与できる。
【００５４】
さらに、マルチクロンや、袋状のフィルタであるバグフィルタ等を用いる集塵機に比べ、より簡易な構成で集塵機21を製作できるため、この集塵機21の製造コストを低減できる。
【００５５】
なお、上記実施の一形態では、熱風乾燥装置１から排気される排気風Ｃに含まれている塵埃を捕捉する集塵機21について説明したが、この集塵機21は風力を利用しているため、塵埃を排気するおそれのある装置であれば、乾燥装置以外の種々の装置であっても対応させて使用できる。
【図面の簡単な説明】
【００５６】
【図１】本発明の集塵装置の実施の一形態を示す説明図である。
【図２】同上集塵装置を示す平面図である。
【図３】同上集塵装置を示す側面図である。
【図４】同上集塵装置を示す底面図である。
【図５】同上集塵装置が取り付けられる乾燥装置を示す説明図である。
【符号の説明】
【００５７】
21    集塵装置としての集塵機
22    集塵室
23    導入口としての排気入口
25    排出口としての排気出口
31    塵埃収容部としての第１のダストボックス
41    ケース体としてのフィルタドラム
42    周面部
43    開口部としての排気開口
46    フィルタ体
51    駆動手段としてのモータ
52    スクレーパ
62    気圧測定手段としての気圧測定機
63    空気吹付手段としての空気吹出管
【図１】
2009136821.tif 000003
【図２】
2009136821.tif 000004
【図３】
2009136821.tif 000005
【図４】
2009136821.tif 000006
【図５】
2009136821.tif 000007